(57)【要約】【課題】遊技者が球貯留皿から所望数の遊技球を素手で掴んで球貯留容器へ回収する必要がなく、誤って遊技球を遊技店の床へ落下してしまう不都合を抑えることができる遊技機を提供する。【解決手段】遊技球を貯留するとともに、この貯留した遊技球を排出可能な上皿ユニット１１を備えたパチンコ遊技機において、上皿ユニット１１は、遊技球を貯留可能な球貯留皿２６と、該球貯留皿２６内に貯留された遊技球が通過可能な球抜き開口３５と、該球抜き開口３５を通過した遊技球を上皿ユニット１１の外方へ案内する球抜き流路４１と、該球抜き流路４１の途中に設けられた容器収容部４２とを備え、該容器収容部４２には、遊技球を受入口４３ａから受入可能な球受容器４３を着脱可能な状態で収容し、球抜き流路４１を流下する遊技球を球受容器４３内へ回収可能とした。【選択図】図３
2009089921.tif 000002
【特許請求の範囲】
【請求項１】
遊技球を貯留するとともに、この貯留した遊技球を排出可能な球貯留ユニットを備えた遊技機において、
前記球貯留ユニットは、遊技球を貯留可能な球貯留皿と、該球貯留皿内に貯留された遊技球が通過可能な球抜き開口と、該球抜き開口を通過した遊技球を球貯留ユニットの外方へ案内する球抜き流路と、該球抜き流路の途中に設けられた容器収容部と、を備え、
該容器収容部には、遊技球を受入口から受入可能な球受容器を着脱可能な状態で収容し、球抜き流路を流下する遊技球を球受容器内へ回収可能としたことを特徴とする遊技機。
【請求項２】
前記球貯留ユニットは、球抜き開口を開閉可能な球抜き開閉部材と、該球抜き開閉部材の開閉を操作するための球抜き開閉操作部と、を備え、
前記球受容器を容器収容部内へ収容し、この状態で球抜き開閉操作部を操作して球抜き開口を開くと、球貯留皿内の遊技球が球抜き開口から球抜き流路へ流下し、この遊技球を球受容器内へ回収可能としたことを特徴とする請求項１に記載の遊技機。
【請求項３】
前記球貯留ユニットの下方には球箱配置部を設定し、該球箱配置部には、遊技球を貯留可能な球貯留箱を配置可能とし、
前記球抜き流路の下流端を球箱配置部へ連通可能とし、
前記容器収容部から球受容器を外すとともに球箱配置部に球貯留箱を配置し、この状態で球抜き開閉操作部を操作して球抜き開口を開くと、球貯留皿内の遊技球が球抜き開口から球抜き流路へ流下して、この遊技球を球貯留箱へ回収可能としたことを特徴とする請求項２に記載の遊技機。
【請求項４】
前記球抜き流路のうち、容器収容部内に収容された球受容器の受入口よりも上流の位置には、遊技球を誘導する誘導傾斜部を備え、該誘導傾斜部を球受容器の中央部へ向けて下り傾斜した姿勢に設定したことを特徴とする請求項３に記載の遊技機。
【請求項５】
前記球抜き開閉操作部は、容器収容部内に収容された球受容器により押圧可能な操作押圧受部と、球抜き開閉部材を球抜き開口が閉状態となる方向へ常時付勢する球抜き付勢部材と、を備え、
前記球受容器を容器収容部へ収容すると、球受容器が操作押圧受部を押圧し、この押圧力により球抜き開閉部材が球抜き付勢部材の付勢力に抗して球抜き開口を開放して遊技球が球貯留皿から球受容器へ流下することを許容し、
前記球受容器を容器収容部から取り外すと、操作押圧受部の押圧状態が解除され、球抜き開閉部材が球抜き付勢部材の付勢力により球抜き開口を閉塞して遊技球が球貯留皿から球受容器へ流下することを規制するように構成されたことを特徴とする請求項４に記載の遊技機。
【請求項６】
前記操作押圧受部のうち容器収容部内に収容された球受容器の受入口よりも上方に位置する箇所に前記誘導傾斜部を備えたことを特徴とする請求項５に記載の遊技機。
【請求項７】
前記容器収容部には、球受容器を挿脱する挿脱口と、該挿脱口を開閉する挿脱開閉扉と、を備え、
前記挿脱口を通して球受容器を容器収容部内へ収容するとともに、挿脱口を挿脱開閉扉で閉成し、この状態で開閉操作部を操作して球抜き開口を開くと、球抜き開口から球抜き流路へ遊技球が流下して、この遊技球を球受容器内へ回収可能としたことを特徴とする請求項２または請求項３に記載の遊技機。
【請求項８】
前記球受容器は、一定量の遊技球数を計量可能な計量カップであることを特徴とする請求項１から請求項７のいずれかに記載の遊技機。
【発明の詳細な説明】
【技術分野】
【０００１】
本発明は、遊技球を貯留するとともに、この貯留した遊技球を排出可能な球貯留ユニットを備えたパチンコ遊技機等の遊技機に関する。
【背景技術】
【０００２】
従来の遊技機、例えば、パチンコ遊技機においては、その前面に遊技球を貯留する球貯留皿を備え、この球貯留皿に貯留された遊技球を発射装置により遊技領域へ発射して遊技を行う。また、球貯留皿から遊技球を取り出す場合には、球貯留皿に連通する球抜き流路へ遊技球を流下させてパチンコ遊技機の外方、具体的には、パチンコ遊技機の外方に載置しておいた球貯留容器へ回収したり、あるいは、遊技者が球貯留皿内の遊技球を直接掴んで球貯留容器へ移し入れたりしている。そして、球貯留容器については、その内側に遊技球の貯留量が判るように目盛りを表記した箱形状のものや、少量の遊技球を貯留するためのカップ形状のものが提案されている（例えば、特許文献１参照）。なお、カップ形状の球貯留容器は、少量の遊技球で交換可能な景品、例えば、遊技店内の自動販売機で交換可能な飲食物などを交換するために使用されることが多い。
【特許文献１】特開平１０−１６５６３７号公報
【発明の開示】
【発明が解決しようとする課題】
【０００３】
ところで、カップ形状の球貯留容器に球貯留皿内の遊技球を移すには、たいていの遊技者は、素手で球貯留皿内の遊技球を掴んで球貯留容器へ入れる。このとき、移し入れ作業を迅速に終わらせようとして一度に多くの遊技球を掴みがちであるが、掴んだ全ての遊技球を確実に保持することができない。この結果、遊技球を遊技店の床に落下して紛失してしまうことがあり、遊技の興趣が減衰してしまう虞がある。
【０００４】
そこで、本発明は、上記の事情に鑑みてなされたものであり、その目的は、遊技者が球貯留皿から所望数の遊技球を素手で掴んで球貯留容器へ回収する必要がなく、誤って遊技球を遊技店の床へ落下してしまう不都合を抑えることができる遊技機を提供しようとするものである。
【課題を解決するための手段】
【０００５】
本発明は、上記目的を達成するために提案されたものであり、請求項１に記載のものは、遊技球を貯留するとともに、この貯留した遊技球を排出可能な球貯留ユニットを備えた遊技機において、
前記球貯留ユニットは、遊技球を貯留可能な球貯留皿と、該球貯留皿内に貯留された遊技球が通過可能な球抜き開口と、該球抜き開口を通過した遊技球を球貯留ユニットの外方へ案内する球抜き流路と、該球抜き流路の途中に設けられた容器収容部と、を備え、
該容器収容部には、遊技球を受入口から受入可能な球受容器を着脱可能な状態で収容し、球抜き流路を流下する遊技球を球受容器内へ回収可能としたことを特徴とする遊技機である。
【０００６】
請求項２に記載のものは、前記球貯留ユニットは、球抜き開口を開閉可能な球抜き開閉部材と、該球抜き開閉部材の開閉を操作するための球抜き開閉操作部と、を備え、
前記球受容器を容器収容部内へ収容し、この状態で球抜き開閉操作部を操作して球抜き開口を開くと、球貯留皿内の遊技球が球抜き開口から球抜き流路へ流下し、この遊技球を球受容器内へ回収可能としたことを特徴とする請求項１に記載の遊技機である。
【０００７】
請求項３に記載のものは、前記球貯留ユニットの下方には球箱配置部を設定し、該球箱配置部には、遊技球を貯留可能な球貯留箱を配置可能とし、
前記球抜き流路の下流端を球箱配置部へ連通可能とし、
前記容器収容部から球受容器を外すとともに球箱配置部に球貯留箱を配置し、この状態で球抜き開閉操作部を操作して球抜き開口を開くと、球貯留皿内の遊技球が球抜き開口から球抜き流路へ流下して、この遊技球を球貯留箱へ回収可能としたことを特徴とする請求項２に記載の遊技機である。
【０００８】
請求項４に記載のものは、前記球抜き流路のうち、容器収容部内に収容された球受容器の受入口よりも上流の位置には、遊技球を誘導する誘導傾斜部を備え、該誘導傾斜部を球受容器の中央部へ向けて下り傾斜した姿勢に設定したことを特徴とする請求項３に記載の遊技機である。
【０００９】
請求項５に記載のものは、前記球抜き開閉操作部は、容器収容部内に収容された球受容器により押圧可能な操作押圧受部と、球抜き開閉部材を球抜き開口が閉状態となる方向へ常時付勢する球抜き付勢部材と、を備え、
前記球受容器を容器収容部へ収容すると、球受容器が操作押圧受部を押圧し、この押圧力により球抜き開閉部材が球抜き付勢部材の付勢力に抗して球抜き開口を開放して遊技球が球貯留皿から球受容器へ流下することを許容し、
前記球受容器を容器収容部から取り外すと、操作押圧受部の押圧状態が解除され、球抜き開閉部材が球抜き付勢部材の付勢力により球抜き開口を閉塞して遊技球が球貯留皿から球受容器へ流下することを規制するように構成されたことを特徴とする請求項４に記載の遊技機である。
【００１０】
請求項６に記載のものは、前記操作押圧受部のうち容器収容部内に収容された球受容器の受入口よりも上方に位置する箇所に前記誘導傾斜部を備えたことを特徴とする請求項５に記載の遊技機である。
【００１１】
請求項７に記載のものは、前記容器収容部には、球受容器を挿脱する挿脱口と、該挿脱口を開閉する挿脱開閉扉と、を備え、
前記挿脱口を通して球受容器を容器収容部内へ収容するとともに、挿脱口を挿脱開閉扉で閉成し、この状態で開閉操作部を操作して球抜き開口を開くと、球抜き開口から球抜き流路へ遊技球が流下して、この遊技球を球受容器内へ回収可能としたことを特徴とする請求項２または請求項３に記載の遊技機である。
【００１２】
請求項８に記載のものは、前記球受容器は、一定量の遊技球数を計量可能な計量カップであることを特徴とする請求項１から請求項７のいずれかに記載の遊技機である。
【発明の効果】
【００１３】
本発明によれば、以下のような優れた効果を奏する。
請求項１に記載の発明によれば、遊技球を貯留するとともに、この貯留した遊技球を排出可能な球貯留ユニットを備えた遊技機において、球貯留ユニットは、遊技球を貯留可能な球貯留皿と、該球貯留皿内に貯留された遊技球が通過可能な球抜き開口と、該球抜き開口を通過した遊技球を球貯留ユニットの外方へ案内する球抜き流路と、該球抜き流路の途中に設けられた容器収容部とを備え、該容器収容部には、遊技球を受入口から受入可能な球受容器を着脱可能な状態で収容し、球抜き流路を流下する遊技球を球受容器内へ回収可能としたので、球貯留皿に貯留された遊技球を球抜き流路の途中から球受容器に入れた状態で抜き出すことができる。したがって、遊技者は、球貯留皿から所望数の遊技球を素手で掴んで回収する必要がない。これにより、誤って遊技球を遊技店の床へ落下してしまう不都合、ひいては遊技球を紛失してしまう不都合を抑えることができる。
【００１４】
請求項２に記載の発明によれば、球貯留ユニットは、球抜き開口を開閉可能な球抜き開閉部材と、該球抜き開閉部材の開閉を操作するための球抜き開閉操作部とを備え、球受容器を容器収容部内へ収容し、この状態で球抜き開閉操作部を操作して球抜き開口を開くと、球貯留皿内の遊技球が球抜き開口から球抜き流路へ流下し、この遊技球を球受容器内へ回収可能としたので、球貯留皿内の遊技球を確実に球受容器に入れて抜き出すことができ、遊技球が遊技店の床に落下する不都合を一層抑えることができる。
【００１５】
請求項３に記載の発明によれば、球貯留ユニットの下方には球箱配置部を設定し、該球箱配置部には、遊技球を貯留可能な球貯留箱を配置可能とし、球抜き流路の下流端を球箱配置部へ連通可能とし、容器収容部から球受容器を外すとともに球箱配置部に球貯留箱を配置し、この状態で球抜き開閉操作部を操作して球抜き開口を開くと、球貯留皿内の遊技球が球抜き開口から球抜き流路へ流下して、この遊技球を球貯留箱へ回収可能としたので、球貯留皿に貯留された遊技球を素手で触れずに球貯留ユニットの下方へ導出して球貯留箱へ回収することができる。
【００１６】
請求項４に記載の発明によれば、球抜き流路のうち、容器収容部内に収容された球受容器の受入口よりも上流の位置には、遊技球を誘導する誘導傾斜部を備え、該誘導傾斜部を球受容器の中央部へ向けて下り傾斜した姿勢に設定したので、球抜き流路を流下する遊技球が球受容器の受入口の縁部に当たってはじかれる不都合を防止することができ、遊技球を一層確実に球受容器へ回収することができる。
【００１７】
請求項５に記載の発明によれば、球抜き開閉操作部は、容器収容部内に収容された球受容器により押圧可能な操作押圧受部と、球抜き開閉部材を球抜き開口が閉状態となる方向へ常時付勢する球抜き付勢部材とを備え、球受容器を容器収容部へ収容すると、球受容器が操作押圧受部を押圧し、この押圧力により球抜き開閉部材が球抜き付勢部材の付勢力に抗して球抜き開口を開放して遊技球が球貯留皿から球受容器へ流下することを許容し、球受容器を容器収容部から取り外すと、操作押圧受部の押圧状態が解除され、球抜き開閉部材が球抜き付勢部材の付勢力により球抜き開口を閉塞して遊技球が球貯留皿から球受容器へ流下することを規制するように構成したので、容器収容部内に球受容器を着脱する動作とは別個に球抜き開閉部材を開閉する動作を行う必要がなく、球貯留皿から球受容器への球抜きを迅速に行うことができる。
【００１８】
請求項６に記載の発明によれば、操作押圧受部のうち容器収容部内に収容された球受容器の受入口よりも上方に位置する箇所に前記誘導傾斜部を備えたので、操作押圧受部に遊技球を誘導する機能を具備せしめることができる。したがって、遊技球が球受容器の受入口の縁部に当たってはじかれる不都合を防止するとともに、球貯留皿から球受容器への球抜き動作を簡単に行うことができる遊技機を簡単な構成で実現することができる。
【００１９】
請求項７に記載の発明によれば、容器収容部には、球受容器を挿脱する挿脱口と、該挿脱口を開閉する挿脱開閉扉とを備え、挿脱口を通して球受容器を容器収容部内へ収容するとともに、挿脱口を挿脱開閉扉で閉成し、この状態で開閉操作部を操作して球抜き開口を開くと、球抜き開口から球抜き流路へ遊技球が流下して、この遊技球を球受容器内へ回収可能としたので、球受容器に回収し損なった遊技球が容器収容部から飛び出す不都合、ひいては遊技店の床に落下して散乱する不都合を防ぐことができる。
【００２０】
請求項８に記載の発明によれば、球受容器は、一定量の遊技球数を計量可能な計量カップであるので、遊技者は、球受容器に回収した遊技球の量を把握し易い。
【発明を実施するための最良の形態】
【００２１】
以下、代表的な遊技機であるパチンコ遊技機を例に挙げて本発明の実施の最良の形態を図面に基づき説明する。図１はパチンコ遊技機の正面図である。
パチンコ遊技機１は、機枠（外枠）２に前面枠（内枠）３を開閉可能に軸着し、該前面枠３に矩形状の遊技盤５を収納可能とし、該遊技盤５の表面には、略円形状の遊技領域６を区画形成している。また、前面枠３の前面側には、一側（図１中、左側）が軸着された透明部材保持枠９を開閉（回動）可能に設け、該透明部材保持枠９に透視可能な透明部材１０を収納している。そして、透明部材保持枠９を閉じると、遊技盤５が透明部材保持枠９により覆われるとともに、透明部材１０が遊技領域６の前方に配置され、透明部材１０を通して遊技領域６を前方から視認できるように構成している。さらに、透明部材保持枠９の下方には、一側（図１中、左側）が前面枠３に軸着された上皿ユニット１１（本発明における球貯留ユニットに相当）を開閉（回動）可能に設け、該上皿ユニット１１の下方には、下皿ユニット１２を上皿ユニット１１に対して左右方向にずれた位置に配置している。また、下皿ユニット１２の左側に灰皿１４を備え、下皿ユニット１２の右側に、発射装置（図示せず）を操作するための発射操作ユニット（発射操作ハンドル）１５を備えている。
【００２２】
そして、下皿ユニット１２のうち遊技球を貯留可能な下皿１７の底部には、開閉可能な球取出口１８を備え、下皿ユニット１２の前側に設けられた取出操作部１９を操作することによって遊技球を下皿ユニット１２の下方へ落下できるように構成されている。さらに、下皿ユニット１２の下方（すなわち上皿ユニット１１の下方）には、横長な球箱配置部２１を設定し、該球箱配置部２１に遊技球を貯留可能な球貯留箱２２を配置可能とし、球取出口１８から落下した遊技球を球貯留箱２２へ回収できるように構成されている。
【００２３】
次に、上皿ユニット１１について説明する。
上皿ユニット１１は、遊技球を貯留するとともに、この貯留した遊技球を排出可能なユニットであり、図２（ａ）に示すように、パチンコ遊技機１の前面と平行に位置して左右に横長なベースパネル（開閉パネル）２５と、該ベースパネル２５の前面側に設けられ、遊技球を貯留可能な球貯留皿（上皿部材）２６と、該球貯留皿２６の前方および下方を覆う上皿カバー部材２７とを備えて構成されている。また、球貯留皿２６の底面をベースパネル２５の一側から他側へ（図２（ａ）中、左側から右側へ）向けて下り傾斜した姿勢に設定し、ベースパネル２５の一側寄り（図２（ａ）中、左寄り）には、前後に貫通した上皿球流入口２９を開設して球貯留皿２６の一側（図２（ａ）中、左側）に後方から連通し、ベースパネル２５の他側寄り（図２（ａ）中、右寄り）には、前後に貫通した上皿球流出口３０を開設して球貯留皿２６の他側（図２（ａ）中、右側）に後方から連通している。そして、上皿ユニット１１を前面枠３に対して閉じた状態では、前面枠３の後側に設けられた球排出装置（図示せず）と上皿球流入口２９とを連通するとともに、前面枠３の前側に設けられた発射装置と上皿球流出口３０とを連通する。したがって、球排出装置から排出された遊技球は、上皿球流入口２９、球貯留皿２６、上皿球流出口３０を通って発射装置へ供給される。
【００２４】
また、上皿球流出口３０と発射装置との間には、遊技球を下皿ユニット１２の下皿１７内へ案内する球流下案内路（図示せず）を連通するとともに、上皿球流出口３０と球流下案内路との連通部分を流下開閉扉（図示せず）で開閉可能としている。そして、上皿カバー部材２７のうち上皿球流出口３０寄りに設けられた流下開閉操作部３２で流下開閉扉の開閉操作を行えるように構成されている。具体的には、流下開閉扉をコイルばね等の流下開閉付勢部材（図示せず）で閉状態となる方向へ常時付勢し、流下開閉操作部３２を操作すると、流下開閉扉が流下開閉付勢部材の付勢力に抗して開いて遊技球を上皿球流出口３０から下皿１７へ流下（排出）可能とし、流下開閉操作部３２の操作を止めると、流下開閉扉が流下開閉付勢部材の付勢力により閉じて遊技球が発射装置へ供給できるように構成されている。さらに、上皿球流入口２９と球排出装置との間には、遊技球を下皿１７へ案内するオーバーフロー流路３３を連通し（図３参照）、球貯留皿２６内がすでに満杯になっているために遊技球が球排出装置から上皿球流入口２９へ流入できない場合には、この遊技球をオーバーフロー流路３３へ通して下皿１７へ排出できるように構成されている。
【００２５】
そして、図２（ｂ）に示すように、上皿ユニット１１のうち球貯留皿２６の底部（具体的には、上流側となる上皿球流入口２９側の底部）には、球貯留皿２６内に貯留された遊技球が通過可能な球抜き開口３５を開設するとともに、該球抜き開口３５を球抜き開閉部材３６で開閉可能としている。そして、上皿カバー部材２７のうち上皿球流入口２９寄りに設けられた球抜き開閉操作部３７で球抜き開閉部材３６の開閉操作を行えるように構成されている。具体的には、球抜き開閉操作部３７と球抜き開閉部材３６とを連結ロッド３８で連結し、球抜き開閉部材３６をコイルばね等の球抜き付勢部材（図示せず）で球抜き開口３５が閉状態となる方向（図２（ｂ）中、右方向）へ常時付勢している。そして、球抜き開閉操作部３７を操作すると、球抜き開閉部材３６が球抜き付勢部材の付勢力に抗して上皿ユニット１１の長手方向（左右方向）へスライドし、球抜き開口３５を開いて球貯留皿２６内の遊技球が球抜き開口３５を通過することを許容する。また、球抜き開閉操作部３７の操作を止めると、球抜き開閉部材３６が球抜き付勢部材の付勢力により球抜き開口３５を閉じて球貯留皿２６内の遊技球が球抜き開口３５を通過することを阻止する。
【００２６】
また、球貯留皿２６の下方には、図３に示すように、球流下案内路およびオーバーフロー流路３３とは別個の経路で遊技球を下皿１７へ抜き出し可能な球抜き流路４１を上皿ユニット１１の後側（ベースパネル２５側）へ向けて屈曲した状態で備え、球抜き流路４１の上流端を球抜き開口３５へ連通し、下流端をオーバーフロー流路３３の下流側へ連通している。したがって、球抜き流路４１は、球抜き開口３５を通過した遊技球をオーバーフロー流路３３へ誘導して上皿ユニット１１の外方、具体的には下皿１７へ案内することができる。さらに、下皿１７の球取出口１８を開放すれば、下皿１７を介して当該球抜き流路４１の下流端を球箱配置部２１へ連通することができる。
【００２７】
そして、球抜き流路４１の途中には容器収容部４２を設け、該容器収容部４２には、カップ状の球受容器４３を着脱可能な状態で収容できるように構成されている。具体的に説明すると、球抜き流路４１の屈曲部分に、前方が矩形状に開放された凹室状の容器収容部４２を設け、該容器収容部４２の底部（収容底部４２ａ）に球受容器４３を受入口４３ａが上側に位置する姿勢で載置して収容できるように構成されている。また、容器収容部４２の上側区画壁の後側には、球抜き流路４１のうち上下方向へ延在する上流部（球抜き上流部４５）を連通し、容器収容部４２の後側区画壁の下端には、球抜き流路４１のうち後方へ下り傾斜した状態で延在する下流部（球抜き下流部４６）を連通している。さらに、収容底部４２ａを球抜き下流部４６へ向けて下り傾斜させ、この傾斜下端を球抜き下流部４６の入口の底部に接続している。そして、容器収容部４２の後側区画壁に受入口４３ａの縁部を当接した状態で球受容器４３を収容底部４２ａへ載置すると、受入口４３ａの後寄りの部分が球抜き上流部４５の直下に位置するように設定されている。なお、球抜き上流部４５の流路断面積（開口面積）は、球受容器４３に受入口４３ａよりも十分に小さい面積、例えば、流路径が受入口４３ａの開口径の１／３程度となる広さに設定されている。
【００２８】
また、容器収容部４２の前側の開放口を、球受容器４３を挿脱するための挿脱口４７とし、上皿カバー部材２７のうち挿脱口４７の前方に位置する箇所に矩形状のカバー開口４８を開設している。そして、該カバー開口４８の下縁部の位置を、容器収容部４２内に収容された球受容器４３（具体的には、容器収容部４２の奧面に受入口４３ａの縁部を当接した状態の球受容器４３）の底部の位置に揃えて設定し、遊技者が球受容器４３を収容する際の位置合わせに利用できるように構成されている。
【００２９】
さらに、球抜き上流部４５の後側区画壁、言い換えると、球抜き流路４１のうち容器収容部４２内に収容された球受容器４３の受入口４３ａよりも上流に位置する後側区画壁には、遊技球を誘導する誘導傾斜部５０を球抜き流路４１の前側区画壁側へ向けて突設し、該誘導傾斜部５０の球接触面を球受容器４３の中央部へ向けて下り傾斜した姿勢に設定している。また、誘導傾斜部５０のうち球受容器４３側（下側）の突出幅Ｗを球受容器４３の受入口４３ａの肉厚ｔよりも広く設定し、誘導傾斜部５０の傾斜下端が受入口４３ａの縁部よりも内側の上方に位置できるように、さらには、誘導傾斜部５０により受入口４３ａの後側の縁部を上方から覆うことができるように構成されている。
【００３０】
なお、球受容器４３は、一定量の遊技球数を計量可能なプラスチック製の計量カップであり、遊技球を満杯にすると一定量の遊技球数、例えばタバコや飲み物等の景品が交換可能となる遊技球数（具体的には１００個程度）を計量できるように構成されている。
【００３１】
このような構成を備えたパチンコ遊技機１において、球貯留皿２６内に貯留された遊技球を球受容器４３内へ回収するには、まず、球受容器４３を受入口４３ａが上方へ向いた姿勢に設定し、この姿勢で上皿ユニット１１の前方からカバー開口４８および挿脱口４７を通して容器収容部４２内へ挿入する。そして、球受容器４３の底部の前縁部をカバー開口４８の下縁部に揃えて球受容器４３を収容底部４２ａへ載置する。すると、図３に示すように、球受容器４３が受入口４３ａを球抜き上流部４５の直下に臨ませるとともに、受入口４３ａの縁部を誘導傾斜部５０の傾斜下端よりも後方に配置して、遊技球を球受容器４３へ受け入れる準備が整う。
【００３２】
容器収容部４２内に球受容器４３を収容したならば、この状態で球抜き開閉操作部３７を操作して球抜き開口３５を開く。すると、球貯留皿２６内の遊技球が球抜き開口３５を通過して球抜き上流部４５へ流下し、誘導傾斜部５０により球抜き上流部４５の前寄りへ誘導され、受入口４３ａの中央部寄りを通って球受容器４３内に落下して回収される。このとき、誘導傾斜部５０が受入口４３ａの後側縁部を上方から覆うので、回収された遊技球の流下勢で球受容器４３が容器収容部４２の前方へ転動しようとしても、受入口４３ａの後側縁部を誘導傾斜部５０の下端に下方から引っ掛けることができ、球受容器４３の転動、ひいては球受容器４３に回収した遊技球が球受容器４３からこぼれて散乱する不都合を阻止することができる。
【００３３】
そして、球抜き開閉操作部３７を操作し続けて球抜き開口３５を開状態に維持し、所望数の遊技球が球抜き開口３５および球抜き流路４１を流下して球受容器４３内に回収されたならば、球抜き開閉操作部３７の操作を止めて球抜き開口３５を閉じ、球貯留皿２６内の遊技球が球抜き流路４１へ流下することを規制する。球抜き開口３５を閉じたならば、容器回収部から球受容器４３を上皿ユニット１１の前方へ取り出す。このようにして、球貯留皿２６に貯留された遊技球を球抜き流路４１の途中から球受容器４３に入れた状態で抜き出すことができる。したがって、遊技者は、球貯留皿２６から所望数の遊技球を素手で掴んで回収する必要がない。これにより、誤って遊技球を遊技店の床へ落下してしまう不都合、ひいては遊技球を紛失してしまう不都合を抑えることができる。さらに、遊技球に手垢が付着することを避けることができ、ひいては、遊技球に付着した手垢が原因で、飛翔中の遊技球がバランスを崩すことを抑えることができる。この結果、発射した遊技球のムラ飛びを抑制することができる。
【００３４】
また、球受容器４３を容器収容部４２内へ収容してから球抜き開閉操作部３７を操作して球抜き開口３５を開いて、遊技球を球受容器４３内へ回収するので、球貯留皿２６内の遊技球を確実に球受容器４３へ入れて抜き出すことができ、遊技球が遊技店の床に落下する不都合を一層抑えることができる。そして、誘導傾斜部５０を球受容器４３の中央部へ向けて下り傾斜した姿勢に設定したので、球抜き流路４１を流下する遊技球が球受容器４３の受入口４３ａの縁部に当たってはじかれる不都合を防止することができ、遊技球を一層確実に球受容器４３へ回収することができる。さらに、一定量の遊技球数を計量可能な計量カップを球受容器４３として採用したので、遊技者は、球受容器４３に回収した遊技球の数量を把握し易い。
【００３５】
そして、収容底部４２ａを球抜き下流部４６へ向けて下り傾斜させているので、容器収容部４２内の球受容器４３に遊技球を回収している最中に、球受容器４３が満杯になって遊技球がオーバーフローしたり、あるいは遊技者が誤って球受容器４３を容器収容部４２から取り出してしまったりしたとしても、収容底部４２ａに落下した遊技球を球抜き下流部４６へ流下させて下皿１７へ回収することができる。また、球抜き開口３５を長期間開放し過ぎて遊技球が満杯の球受容器４３の上方に積み重なり、球抜き上流部４５を詰まらせてしまった場合には、容器収容部４２から球受容器４３を外し、球抜き上流部４５に詰まった遊技球を収容底部４２ａへ落下してから球抜き下流部４６へ流下することができる。したがって、遊技球が容器収容部４２から上皿ユニット１１の前方へこぼれて飛び出す不都合、ひいては遊技球が遊技店の床に散乱する不都合を抑えることができる。
【００３６】
また、球貯留皿２６内の遊技球を球箱配置部２１に配置された球貯留箱２２へ回収するには、まず、遊技球を球流下案内路または球抜き流路４１を通して下皿１７へ誘導する。具体的には、流下開閉操作部３２を操作して流下開閉扉を開けば、球貯留皿２６内の遊技球が上皿球流出口３０から球流下案内路へ流下して下皿１７へ誘導される。一方、容器収容部４２から球受容器４３を外し、この状態で球抜き開閉操作部３７を操作して球抜き開口３５を開けば、球貯留皿２６内の遊技球が球抜き開口３５から球抜き流路４１（詳しくは、球抜き上流部４５、容器収容部４２、球抜き下流部４６）、オーバーフロー流路３３を通過して下皿１７へ誘導される。遊技球を下皿１７へ誘導したならば、取出操作部１９を操作して球取出口１８を開放する。すると、下皿１７内に誘導された遊技球が球取出口１８から下方へ落下し、球箱配置部２１に配置された球貯留箱２２へ回収される。したがって、球貯留皿２６に貯留された遊技球を素手で触れずに上皿ユニット１１の下方へ導出して球貯留箱２２へ回収することができる。
【００３７】
ところで、上記第１実施形態では、上皿ユニット１１の前側に設けた球抜き開閉操作部３７により球抜き開閉部材３６を操作して球抜き開口３５を開閉するように構成したが、本発明はこれに限定されない。例えば、図４に示す第２実施形態では、基本的には第１実施形態と同じ構成であるが、球抜き開閉部材および球抜き開閉操作部の構成が異なる。具体的に説明すると、第２実施形態における球抜き開閉部材３６は、図４（ｂ）に示すように、球抜き開口３５を閉塞した状態から後方へスライドして球抜き開口３５を開放するように構成されている。また、球抜き開閉操作部５２は、図４（ａ），（ｃ），（ｄ）に示すように、球抜き開閉部材３６の下側から舌片状の操作押圧受部５３を下方の球抜き上流部４５側へ向けて延在し、該操作押圧受部５３の下端部を容器収容部４２の上部まで突設し、容器収容部４２内に収容された球受容器４３が受入口４３ａの縁部で操作押圧受部５３の下端部を後方、すなわち球抜き開閉部材３６が球抜き開口３５を開放する方向へ向けて押圧できるように構成されている。さらに、操作押圧受部５３の前面（球受容器４３により押圧可能な押圧面）を容器収容部４２内の球受容器４３の中央部へ向けて下り傾斜した姿勢に設定し、この押圧面のうち容器収容部４２内の球受容器４３の受入口４３ａよりも上方に位置する箇所を誘導傾斜部５４とし、該誘導傾斜部５４により遊技球を誘導できるように構成されている（図４（ｄ）参照）。そして、操作押圧受部５３と球抜き上流部４５の後側区画壁との間にはコイルばね等の球抜き付勢部材５５を備え、該球抜き付勢部材５５により球抜き開閉操作部５２（操作押圧受部５３）と球抜き開閉部材３６とを球抜き開口３５が閉状態となる方向（前方）へ常時付勢している。
【００３８】
このような構成の球抜き開閉部材３６および球抜き開閉操作部５２を備えて球受容器４３を上皿ユニット１１の前方から容器収容部４２へ収容すると、球受容器４３が操作押圧受部５３を後方へ押圧し、この押圧力により球抜き開閉部材３６が球抜き付勢部材５５の付勢力に抗して球抜き開口３５を開放し、遊技球が球貯留皿２６から球抜き開口３５および球抜き上流部４５を通過して球受容器４３へ流下することを許容する。このとき、球受容器４３は、操作押圧受部５３を押圧しながら移動した結果、受入口４３ａを球抜き開口３５の直下に位置させるので、球抜き上流部４５を流下する遊技球が球受容器４３へ落下し損なう不都合を生じることがない。また、操作押圧受部５３の上部に誘導傾斜部５４を備えているので、球抜き流路４１を流下する遊技球が球受容器４３の受入口４３ａの縁部に当たってはじかれる不都合を防止することができ、遊技球を一層確実に球受容器４３へ回収することができる。さらに、操作押圧受部５３に遊技球を誘導する機能を具備せしめることができる。したがって、遊技球が球受容器４３の受入口４３ａの縁部に当たってはじかれる不都合を防止するとともに、球貯留皿２６から球受容器４３への球抜き動作を簡単に行うことができるパチンコ遊技機１を簡単な構成で実現することができる。
【００３９】
そして、球受容器４３により操作押圧受部５３を押圧し続けて球抜き開口３５を開状態に維持し、所望数の遊技球が球抜き開口３５および球抜き流路４１を流下して球受容器４３内に回収されたならば、球受容器４３を容器収容部４２から取り外す。すると、操作押圧受部５３の押圧状態が解除され、球抜き開閉部材３６が球抜き付勢部材５５の付勢力により球抜き開口３５を閉塞して遊技球が球貯留皿２６から球受容器４３へ流下することを規制することができる。したがって、容器収容部４２内に球受容器４３を着脱する動作とは別個に球抜き開閉部材３６を開閉する動作を行う必要がなく、球貯留皿２６から球受容器４３への球抜きを迅速に行うことができる。
【００４０】
なお、上記各実施形態においては、容器収容部４２の挿脱口４７を常時開放したが、本発明はこれに限定されない。例えば、挿脱口４７を開閉する挿脱開閉扉を備えてもよい。そして、挿脱口４７を通して球受容器４３を容器収容部４２内へ収容するとともに、挿脱口４７を挿脱開閉扉で閉成し、この状態で球抜き開閉操作部３７を操作して球抜き開口３５を開けば、球抜き開口３５から球抜き流路４１へ遊技球が流下して、この遊技球を球受容器４３内へ回収できるように構成してもよい。このように構成すれば、球受容器４３に回収し損なった遊技球が容器収容部４２から飛び出す不都合、ひいては遊技店の床に落下して散乱する不都合を確実に防ぐことができて好適である。
【００４１】
ところで、上記各実施形態におけるパチンコ遊技機１は、上皿ユニット１１と下皿ユニット１２とを備え、上皿ユニット１１に容器収容部４２を設けたが、本発明はこれに限定されない。例えば、図５に示す第３実施形態におけるパチンコ遊技機１では、基本的な構成は上記実施形態と同じであるが、透明部材保持枠９の下方に単一の球貯留ユニット６１を備え、この球貯留ユニット６１に球受容器４３を収容可能とした点で異なる。
【００４２】
具体的に説明すると、第３実施形態における球貯留ユニット６１は、遊技球を貯留するとともに、この貯留した遊技球を排出可能なユニットであり、横長なベースパネル６５と、該ベースパネル６５の前面側に設けられ、遊技球を貯留可能な球貯留皿６６と、該球貯留皿６６の前方および下方を覆う貯留皿カバー部材６７とを備えて構成されている。また、球貯留皿６６の底面をベースパネル６５の一側から他側へ（図５中、左側から右側へ）向けて下り傾斜した姿勢に設定し、ベースパネル６５の一側寄り（図５中、左寄り）には、前後に貫通した貯留皿球流入口（図示せず）を開設して球貯留皿６６の一側（図５中、左側）に後方から連通し、ベースパネル６５の他側寄り（図５中、右寄り）には、前後に貫通した貯留皿球流出口（図示せず）を開設して球貯留皿６６の他側（図５中、右側）に後方から連通している。そして、球貯留ユニット６１を前面枠３に対して閉じた状態では、前面枠３の後側に設けられた球排出装置（図示せず）と貯留皿球流入口とを連通するとともに、前面枠３の前側に設けられた発射装置と貯留皿球流出口とを連通する。したがって、球排出装置から排出された遊技球は、貯留皿球流入口、球貯留皿６６、貯留皿球流出口を通って発射装置へ供給される。また、球貯留ユニット６１の下方には、横長な球箱配置部２１を設定し、該球箱配置部２１に遊技球を貯留可能な球貯留箱２２を配置可能とし、球取出口１８から落下した遊技球を球貯留箱２２へ回収できるように構成されている。
【００４３】
そして、図６（ａ）に示すように、球貯留ユニット６１のうち球貯留皿６６の底部には、球貯留皿６６内に貯留された遊技球が通過可能な球抜き開口７０を開設するとともに、該球抜き開口７０を球抜き開閉部材７１で開閉可能としている。そして、貯留皿カバー部材６７の前面側に設けられた球抜き開閉操作部７２で球抜き開閉部材７１の開閉操作を行えるように構成されている。具体的には、球抜き開閉操作部７２と球抜き開閉部材７１とを連結ロッド７３で連結し、球抜き開閉部材７１をコイルばね等の球抜き付勢部材（図示せず）で球抜き開口７０が閉状態となる方向（図６（ａ）中、右方向）へ常時付勢し、球抜き開閉操作部７２を操作すると、球抜き開閉部材７１が球抜き付勢部材の付勢力に抗して球貯留ユニット６１の長手方向（左右方向）へスライドし、球抜き開口７０を開いて球貯留皿６６内の遊技球が球抜き開口７０を通過することを許容し、球抜き開閉操作部７２の操作を止めると、球抜き開閉部材７１が球抜き付勢部材の付勢力により球抜き開口７０を閉じて球貯留皿６６内の遊技球が球抜き開口７０を通過することを阻止するように構成されている。
【００４４】
また、球貯留皿６６の下方には、図６（ａ）および図７に示すように、遊技球を球箱配置部２１（球貯留箱２２）へ抜き出す縦長な球抜き流路７６を備え、球抜き流路７６の上流端を球抜き開口７０へ連通するとともに、下流端を球貯留ユニット６１の下方へ開放して球箱配置部２１へ連通している。そして、球抜き流路７６の途中には容器収容部７７を設け、該容器収容部７７には球受容器４３を着脱可能な状態で収容できるように構成されている。具体的に説明すると、球抜き流路７６を球貯留ユニット６１の左右方向の中央部に配設し、この球抜き流路７６の中間部分に、前方が矩形状に開放された凹室状の容器収容部７７を設け、該容器収容部７７の底部（収容底部７７ａ）に球受容器４３を載置して収容できるように構成されている。また、容器収容部７７の上側区画壁の中央部には、球抜き流路７６の上流部（球抜き上流部８０）を連通し、収容底部７７ａを格子状フレームで構成して升目状の貫通口８２を遊技球が通過可能な大きさで複数開設し、該貫通口８２の下方に球抜き流路７６の下流部（球抜き下流部８４）を連通している（図６（ｂ）および（ｃ）参照）。そして、球抜き下流部８４の流路断面形状を収容底部７７ａと同じ広さの矩形状に設定している。
【００４５】
さらに、容器収容部７７の前側の開放口を、球受容器４３を挿脱するための挿脱口８５とし、貯留皿カバー部材６７のうち挿脱口８５の前方に位置する箇所に矩形状のカバー開口８６を開設している。そして、挿脱口８５（あるいはカバー開口８６）には、挿脱開閉扉８７を一側（図６（ａ）中、右側）が軸着された状態で備え、挿脱開閉扉８７を前後方向へ回動して挿脱口８５を開閉できるように構成されている。
【００４６】
このような構成の球貯留ユニット６１を備えたパチンコ遊技機１において、球貯留皿６６内に貯留された遊技球を球受容器４３内へ回収するには、まず、球受容器４３を受入口４３ａが上方へ向いた姿勢に設定し、この姿勢で球貯留ユニット６１の前方からカバー開口８６および挿脱口８５を通して容器収容部７７内へ挿入する（図６（ａ）参照）。そして、球受容器４３を収容底部７７ａへ載置し、挿脱開閉扉８７を閉じて容器収容部７７を閉成する。容器収容部７７内に球受容器４３を収容したならば、この状態で球抜き開閉操作部７２を操作して球抜き開口７０を開く。すると、球貯留皿６６内の遊技球が球抜き開口７０を通過して球抜き上流部８０へ流下し、受入口４３ａを通って球受容器４３内に落下して回収される（図６（ｂ）および図７（ａ）参照）。
【００４７】
そして、球抜き開閉操作部７２を操作し続けて球抜き開口７０を開状態に維持し、所望数の遊技球が球抜き開口７０および球抜き流路７６を流下して球受容器４３内に回収されたならば、球抜き開閉操作部７２の操作を止めて球抜き開口７０を閉じ、球貯留皿６６内の遊技球が球抜き流路７６へ流下することを規制する。球抜き開口７０を閉じたならば、容器収容部７７から球受容器４３を球貯留ユニット６１の前方へ取り出す。このようにして、第３実施形態においても球貯留皿６６に貯留された遊技球を球抜き流路７６の途中から球受容器４３に入れた状態で抜き出すことができる。したがって、遊技者は、球貯留皿６６から所望数の遊技球を素手で掴んで回収する必要がない。これにより、誤って遊技球を遊技店の床へ落下してしまう不都合、ひいては遊技球を紛失してしまう不都合を抑えることができる。
【００４８】
また、球受容器４３を容器収容部７７内へ収容し、且つ挿脱口８５を挿脱開閉扉８７で閉成してから球抜き開閉操作部７２を操作して球抜き開口７０を開いて、遊技球を球受容器４３内へ回収するので、球貯留皿６６内の遊技球を確実に球受容器４３へ入れて抜き出すことができ、遊技球が遊技店の床に落下する不都合を確実に抑えることができる。
【００４９】
そして、収容底部７７ａに貫通口８２を開設し、該貫通口８２を球抜き下流部８４へ連通しているので、容器収容部７７内の球受容器４３に遊技球を回収している最中に、球受容器４３が満杯になって遊技球がオーバーフローしたり、あるいは受入口４３ａの縁により遊技球がはじかれて収容底部７７ａに落下したりしたとしても、収容底部７７ａに落下した遊技球を貫通口８２へ通して球抜き下流部８４へ流下させること、ひいては、球箱配置部２１に配置された球貯留箱２２へ回収することができる（図６（ｂ）および図７（ａ）参照）。
【００５０】
また、球貯留皿６６内の遊技球を球箱配置部２１に配置された球貯留箱２２へ回収するには、まず、容器収容部７７から球受容器４３を外し、挿脱開閉扉８７を閉じて容器収容部７７を閉成する（図７（ｂ）参照）。この状態で球抜き開閉操作部７２を操作して球抜き開口７０を開けば、球貯留皿６６内の遊技球が球抜き開口７０から球抜き流路７６（詳しくは、球抜き上流部８０、容器収容部７７、貫通口８２、球抜き下流部８４）を通過して球貯留ユニット６１の下方へ流下し（図６（ｃ）参照）、球箱配置部２１に配置された球貯留箱２２へ回収される。したがって、球貯留皿６６に貯留された遊技球を素手で触れずに球貯留ユニット６１の下方へ導出して球貯留箱２２へ回収することができる。なお、球抜き流路７６の途中に格子状フレームを設けて貫通口８２を形成しているので、遊技球が貫通口８２の縁部（言い換えると格子状フレーム）に衝突して流下速度を減速することができる。したがって、遊技球が球貯留箱２２へ落下する際に球貯留箱２２の底部に激しく衝突する不都合、ひいては衝突後に大きく跳ねて球貯留箱２２から飛び出してしまう不都合をなくすことができる。これにより、球貯留箱２２へ回収する場合でも遊技球が遊技店の床に散乱することを阻止することができる。
【００５１】
なお、球貯留ユニット６１には、球抜き開閉操作部７２の操作を規制するロック機構を設けてもよい。例えば、図８に示すロック機構９０は、容器収容部７７の上方に設けられた機構であり、球抜き開閉操作部７２に後方から係合可能なロック部材９１と、該ロック部材９１を球抜き開閉部材７１側へ向けて常時付勢するコイルばね等のロック付勢部材９２と、挿脱開閉扉８７の上端部から後方へ延設されたロック押圧部９３とを備えて構成されている。また、ロック部材９１の上部を球抜き開閉操作部７２の後部に係合可能とし、下部の前側にはロック押圧部９３を当接可能とし、下部の後側にはロック付勢部材９２を係合している。
【００５２】
そして、図８（ａ）に示すように、挿脱開閉扉８７を閉じた状態では、ロック押圧部９３がロック部材９１をロック付勢部材９２の付勢力に抗して後方へ押圧する。すると、ロック部材９１が球抜き開閉操作部７２から後方へ外れ、球抜き開閉操作部７２の操作、ひいては球貯留皿６６から遊技球が容器収容部７７へ流入することが許容される。また、図８（ｂ）に示すように、挿脱開閉扉８７を十分に開くと、ロック押圧部９３がロック部材９１から離間し、ロック部材９１がロック付勢部材９２の付勢力により前方（球抜き開閉操作部７２側）へ移動して球抜き開閉操作部７２へ係合する。この結果、ロック機構９０は、球抜き開閉操作部７２の操作（詳しくはスライド操作）を規制し、球抜き開口７０の開放、すなわち球貯留皿６６から遊技球が容器収容部７７へ流入することを阻止する。したがって、容器収容部７７の挿脱口８５を開放した状態で誤って遊技球が容器収容部７７へ流下すること、ひいてはこの遊技球が開放状態の挿脱口８５から球貯留ユニット６１の前方へ飛び出して散乱する不都合を防止することができる。
【００５３】
なお、上記第３実施形態においても、球抜き上流部８０に遊技球を誘導する誘導傾斜部を備え、該誘導傾斜部を球受容器４３の中央部へ向けて下り傾斜した姿勢に設定してもよい。この誘導傾斜部を備えれば、球抜き流路７６を流下する遊技球が球受容器４３の受入口４３ａの縁部に当たってはじかれる不都合を防止することができ、遊技球を一層確実に球受容器４３へ回収することができて好適である。
【００５４】
ところで、上記各実施形態では、容器収容部７７内に球受容器４３を収容したか否かを検出する手段を備えていないが、本発明はこれに限定されない。例えば、球受容器４３の側部には検出片を突設し、容器収容部４２，７７の後側区画壁には、検出片を検出可能なフォトセンサ等の検出センサを備え、挿脱口４７，８５の側方にＬＥＤ等の検出報知ランプを備えてもよい。そして、容器収容部４２，７７内に球受容器４３が収容されて受入口４３ａが球抜き上流部４５，８０の直下へ位置すると、検出センサが検出片を検出し、検出センサから出力される検出信号に基づいて検出報知ランプを点灯するように構成してもよい。このようにして球受容器４３の受入口４３ａが球抜き上流部４５，８０の直下に配置されたことを遊技者に報知すれば、遊技球を球抜き流路４１，７６から球受容器４３へ支障なく回収する準備ができたか否かを遊技者へ知らせることができ、球受容器４３に遊技球を回収し損なう不都合を避けることができる。
【００５５】
そして、上記実施形態では、代表的な遊技機であるパチンコ遊技機を例にして説明したが、本発明はこれに限らず、遊技球を貯留するとともに、この貯留した遊技球を排出可能な球貯留ユニットを備えた遊技機であればどのような遊技機でもよい。例えば、アレンジボール式遊技機、雀球式遊技機等の遊技機であってもよい。
【００５６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５７】
【図１】パチンコ遊技機の正面図である。
【図２】上皿ユニットの説明図であり、（ａ）は斜視図、（ｂ）は球抜き開口の周辺の平面図である。
【図３】上皿ユニットの断面図である。
【図４】第２実施形態における上皿ユニットの説明図であり、（ａ）は部分断面図、（ｂ）は球抜き開口の周辺の平面図、（ｃ）は球抜き開口を閉成した状態の概略図、（ｄ）は球抜き開口を開放した状態の概略図である。
【図５】第３実施形態におけるパチンコ遊技機の正面図である。
【図６】第３実施形態における容器収容部の説明図であり、（ａ）は斜視図、（ｂ）は球受容器を収容した状態の平面図、（ｃ）は球受容器を外した状態の平面図である。
【図７】球貯留ユニットの概略図であり、（ａ）は容器収容部に球受容器を収容した状態図、（ｂ）は容器収容部から球受容器を外した状態図である。
【図８】ロック機構の説明図であり、（ａ）は挿脱開閉扉を閉じた状態の概略図、（ｂ）は挿脱開閉扉を開いた状態の概略図である。
【符号の説明】
【００５８】
１  パチンコ遊技機
１１  上皿ユニット
１２  下皿ユニット
１７  下皿
２１  球箱配置部
２２  球貯留箱
２６  球貯留皿
２７  上皿カバー部材
３３  オーバーフロー流路
３５  球抜き開口
３６  球抜き開閉部材
３７  球抜き開閉操作部
４１  球抜き流路
４２  容器収容部
４２ａ  収容底部
４３  球受容器
４３ａ  受入口
４５  球抜き上流部
４６  球抜き下流部
４７  挿脱口
５０  誘導傾斜部
５２  球抜き開閉操作部
５３  操作押圧受部
５４  誘導傾斜部
５５  球抜き付勢部材
６１  球貯留ユニット
６６  球貯留皿
６７  貯留皿カバー部材
７０  球抜き開口
７１  球抜き開閉部材
７２  球抜き開閉操作部
７６  球抜き流路
７７  容器収容部
７７ａ  収容底部
８０  球抜き上流部
８２  貫通口
８４  球抜き下流部
８５  挿脱口
８６  カバー開口
８７  挿脱開閉扉
９０  ロック機構
９１  ロック部材
９２  ロック付勢部材
９３  ロック押圧部
【図１】
2009089921.tif 000003
【図２】
2009089921.tif 000004
【図３】
2009089921.tif 000005
【図４】
2009089921.tif 000006
【図５】
2009089921.tif 000007
【図６】
2009089921.tif 000008
【図７】
2009089921.tif 000009
【図８】
2009089921.tif 000010